(57)【特許請求の範囲】
【請求項１】
給水が供給される貯湯タンクと、熱源の排熱を回収して前記貯湯タンク内の水を加熱する加熱装置とを備え、前記貯湯タンク内の蓄熱が設定温度の給湯に不足する場合にその不足分の加熱をガス給湯器で行う貯湯システムにおいて、
前記ガス給湯器の給湯口に接続された給湯管から分岐した排水管と、
前記排水管を開閉する排水制御弁と、
前記熱源による微量のガスの長期継続使用によりガスメータがガスの供給を遮断することの回避動作として、前記排水制御弁を開き、前記ガス給湯器でガスを燃焼させて得た湯を前記排水管から排水する動作を行う制御部と
を有する
ことを特徴とする貯湯システム。
【請求項２】
前記貯湯タンクの出湯口に連通した第２排水管と、前記第２排水管を開閉する第２排水制御弁とを備え、
前記制御部は、前記貯湯タンク内の水の入れ替え動作を行う場合に前記第２排水制御弁を開く
ことを特徴とする請求項１に記載の貯湯システム。
【請求項３】
前記給湯管と、前記貯湯タンクの出湯口に通じる第１タンク出湯管と、給水管とが接続され、これらからの湯水を設定された混合比で混合して給湯する混合器と、
第１入口と第２入口と出口とを備え、前記第１入口と前記出口とを連通させ前記第２入口を閉鎖した第１状態と、前記第２入口と前記出口とを連通させ前記第１入口を閉鎖した第２状態とに切り替わる三方弁と、
をさらに有し、
前記ガス給湯器は給水管から給水され、
前記排水管は、前記給湯管側の上流排水管と、下流排水管とに分割されており、
前記排水制御弁は前記下流排水管を開閉し、
前記三方弁の第１入口には前記上流排水管が接続され、前記第２入口には前記貯湯タンクの出湯口に通じる第２タンク出湯管が接続され、出口には前記下流排水管が接続され、
前記制御部は、
前記混合器の出側から設定温度の湯が給湯されるように、前記ガス給湯器による加熱および前記混合器の混合比を制御すると共に、
前記回避動作では、前記三方弁を第１状態に設定して前記排水制御弁を開き、前記貯湯タンク内の水の入れ替え動作を行うときは、前記三方弁を前記第２状態に設定して前記排水制御弁を開く
ことを特徴とする請求項１に記載の貯湯システム。
【請求項４】
前記貯湯タンクの出湯口に通じる第１タンク出湯管と、給水管とが接続され、これらからの湯水を設定された混合比で混合すると共に、出側が前記ガス給湯器の給水口へ配管された混合器と、
第１入口と第２入口と出口とを備え、前記第１入口と前記出口とを連通させ前記第２入口を閉鎖した第１状態と、前記第２入口と前記出口とを連通させ前記第１入口を閉鎖した第２状態とに切り替わる三方弁と、
をさらに有し、
前記排水管は、前記給湯管側の上流排水管と、下流排水管とに分割されており、
前記排水制御弁は前記下流排水管を開閉し、
前記三方弁の第１入口には前記上流排水管が接続され、前記第２入口には前記貯湯タンクの出湯口に通じる第２タンク出湯管が接続され、前記出口には前記下流排水管が接続され、
前記制御部は、
前記ガス給湯器による追加の加熱無しにもしくは前記ガス給湯器による加熱を足して前記ガス給湯器から設定温度の給湯が行われるように前記混合器の混合比を制御すると共に、
前記回避動作では、前記三方弁を第１状態に設定して前記排水制御弁を開き、
前記貯湯タンク内の水の入れ替え動作を行うときは、前記三方弁を前記第２状態に設定して前記排水制御弁を開く
ことを特徴とする請求項１に記載の貯湯システム。
【請求項５】
前記回避動作では、前記ガス給湯器へ給水が供給されるように前記混合器を設定する
ことを特徴とする請求項４に記載の貯湯システム。
【請求項６】
前記入れ替え動作中に前記貯湯タンクに流入する給水の水量を計測し、
前記制御部は、前記計測された水量から前記貯湯タンク内全部が新たな給水に入れ替わったことを確認できた後に前記入れ替え動作を終了する
ことを特徴とする請求項２乃至５のいずれか１項に記載の貯湯システム。
【請求項７】
前記上流排水管は、前記ガス給湯器から前記混合器へ至る前記給湯管のうち前記混合器寄りの箇所から分岐しており、
前記制御部は、
給湯の制御モードとして、貯湯タンクからの湯と給水とを混合して設定温度の湯を給湯する第１モードと、給水を前記ガス給湯器で設定温度より高い温度に加熱した湯と給水とを混合して設定温度の湯を給湯する第２モードとを少なくとも有し、
前記第１モードで給湯動作中に前記第２モードに切り替える場合は、前記三方弁を前記第１状態にしかつ前記排水制御弁を開いて前記ガス給湯器で加熱した湯が前記下流排水管から排水されるように設定してから所定時間の経過後に、前記排水制御弁を閉じて前記第２モードの給湯動作に移行する
ことを特徴とする請求項３に記載の貯湯システム。
【請求項８】
前記所定時間の経過後とは、少なくとも前記ガス給湯器で加熱した湯が前記上流排水管に到達した後である
ことを特徴とする請求項７に記載の貯湯システム。
【請求項９】
前記制御部は、
給湯の制御モードとして、貯湯タンクからの湯と給水とを混合して設定温度の湯を給湯する第１モードと、給水を前記ガス給湯器で設定温度より高い温度に加熱した湯と給水とを混合して設定温度の湯を給湯する第２モードと、給水を前記ガス給湯器で加熱した湯と前記貯湯タンクからの湯と給水とを混合して設定温度の湯を給湯する第３モードとを有し、
給湯動作において前記第１モードを優先選択し、前記第１モードで設定温度の湯を給湯できない場合であって設定温度より所定温度以上低くない湯を前記貯湯タンクから供給可能な場合は前記第３モードを選択し、前記第３モードを選択できない場合に前記第２モードを選択する
ことを特徴とする請求項３、７または８に記載の貯湯システム。
【発明の詳細な説明】
【技術分野】
【０００１】
本発明は、燃料電池等の熱源（ガスエンジン発電機、燃料処理装置（改質器）等）から排熱を回収して貯湯タンク内の湯を加熱し給湯する貯湯システムに係り、特に、貯湯タンクの蓄熱が不足する場合にその不足分をガス給湯器で補って給湯する貯湯システムに関する。
【背景技術】
【０００２】
図１６は、燃料電池の排熱を回収する貯湯システム１００の構成例を示している。貯湯システム１００は、貯湯タンクユニット１０１と、燃料電池１３０の排熱を回収する排熱回収装置１１０と、バックアップ熱源機としてのガス給湯器１２０とを備えている。排熱回収装置１１０は、排熱回収熱交換器１１１と排熱回収ポンプ１１２とから構成される。排熱回収ポンプ１１２を作動させると、貯湯タンク１０２内の湯水が、貯湯タンク下部から熱回収配管（低温）１１４、排熱回収熱交換器１１１、熱回収配管（高温）１１５を経由して貯湯タンク１０２の上部に戻る経路を循環し、排熱回収熱交換器１１１を通る際に加熱される。
【０００３】
貯湯タンク１０２の下部の給水口１０３には給水管１０４が接続され、上部の出湯口１０５には出湯管１０６が接続されている。出湯管１０６の途中には、貯湯タンク１０２からの湯と給水管１０４からの水とを設定された混合比で混合する混合器１０７が設けてあり、該混合器１０７の出側は、接続配管１２１を通じて、ガス給湯器１２０の給水接続口１２２に配管されている。
【０００４】
上記貯湯システム１００では、貯湯タンク１０２に十分蓄熱された状態で給湯する場合は、貯湯タンク１０２の湯と給水とを混合器１０７で混合して設定温度の湯を作ってガス給湯器１２０へ送り、ガス給湯器１２０は追加の加熱を行わずにそのまま給湯する。また、貯湯タンク１０２に蓄熱がない場合は、貯湯タンク１０２内にある設定温度より低い温度の湯または水をガス給湯器１２０に送り、ガス給湯器１２０で設定温度に加熱して給湯する。貯湯タンク１０２内の湯が設定温度よりわずかに低く、そのままガス給湯器１２０に送るとガス給湯器１２０を最小能力で作動させても給湯温度が設定温度を超えてしまう場合は、混合器１０７で貯湯タンク１０２からの湯に給水を混合して温度を意図的に下げた湯水をガス給湯器１２０に送り、ガス給湯器１２０で設定温度に加熱して給湯する、といったことが行われる。
【０００５】
ところで、貯湯タンク内の水を昇温する熱源となる燃料電池は、ガス供給会社から供給されるガスから水素を取り出し、この水素と空気中の酸素とから発電する。発電に使用されるガスの量はガス給湯器などに比べて非常に少ない。また、燃料電池による発電は長時間継続されることが多い。
【０００６】
一方、マイクロコンピュータを搭載した近年のガスメータは、安全のため、長時間一定流量のガスが流れ続けると、ガスを遮断する制御が組み込まれている。この制御は、一般に、長時間使用によるマイコンメータ遮断と呼ばれている。
【０００７】
家庭用用途に用いられる発電出力が１Ｋｗ以下といった燃料電池ではガス消費量が少なく、発電出力を変化させてもガスメータ側では一定流量と判断されてしまう。そのため、他の器具によるガス使用のない状態で燃料電池の発電が長時間継続すると、発電量を変化させたとしても、マイコンメータ遮断が作動してしまう。マイコンメータ遮断が作動すると、燃料電池やバックアップ熱源機としてのガス給湯器のほか、ガスコンロなどの他のガス器具も運転できなくなり、使用者にとって不都合が大きい。また、ガスメータに対して所定の操作を行うことでマイコンメータ遮断から復帰可能であるが、一般の使用者はこの対応処置を知らないことが多い。さらに燃料電池においては、発電中にいきなり燃料ガスが来なくなると耐久性に良くない。
【０００８】
そこで、燃料電池を熱源とする従来の貯湯システムでは、バックアップ熱源機として、暖房回路を備えたガス給湯器を使用し、この暖房回路用のバーナを燃焼させることで、ガス流量を大きく変化させてマイコンメータ遮断を回避するようになっていた。詳細には、図１６に示すように、貯湯タンクユニット１０１内に、暖房回路（暖房配管）１２７と熱回収配管（高温）１１５との間で熱交換するための再加熱熱交換器１４１を備え、ガス給湯器１２０において暖房用熱交換器１２４をバーナ１２５で加熱しながら暖房ポンプ１２６を運転し、かつ排熱回収装置１１０の排熱回収ポンプ１１２を運転する。これにより、貯湯タンク１０２の水を再加熱熱交換器１４１で加熱するという動作においてガスを消費させ、マイコンメータ遮断が回避される。
【０００９】
このほか、上記暖房回路１２７による加熱は貯湯タンク１０２内の湯の殺菌にも使用される。すなわち、貯湯タンク内の水（または湯）が使用されずに長期間滞留すると、レジオネラ菌の繁殖などにより、水（または湯）が不衛生となる恐れがある。レジオネラ菌は高温（約６０℃程度）に加熱すると死滅するため、従来は、貯湯タンク内の水（または湯）を衛生的に保つために、貯湯タンク内の水（または湯）が長時間使用されなかったことを検知した場合に、貯湯タンク内の水（または湯）を全量６０℃以上に沸かし上げる再加熱制御を組み込んでおり、この再加熱を上記マイコンメータ遮断回避と同様に暖房回路を使用して行っていた。
【先行技術文献】
【特許文献】
【００１０】
【特許文献１】特開２０１０−２３６７１３号公報
【特許文献２】特開２００７−１０２４４号公報
【特許文献３】特許第４５５９３０７号公報
【特許文献４】特許第３９３５４１６号公報
【発明の概要】
【発明が解決しようとする課題】
【００１１】
従来の貯湯システムでは、マイコンメータ遮断回避や殺菌のためにガス給湯機の暖房機能を使用するので、バックアップ熱源機として暖房機能を備えたガス給湯器が必須になる。しかし、暖房機能を備えたガス給湯器はその機能のないガス給湯器よりも価格が高い。また、暖房機能を利用してマイコンメータ遮断回避や殺菌のための再加熱を行う構成では貯湯タンクユニット内に再加熱用の熱交換器が必要になり、さらにガス給湯器と貯湯タンクユニットとの間に暖房配管が必要になるため、システム全体がコストアップしてしまう。
【００１２】
本発明は、上記の問題を解決しようとするものであり、バックアップ熱源機として暖房機能を有するガス給湯器を使用しなくてもマイコンメータ遮断を回避できる貯湯システムを提供することを目的としている。
【課題を解決するための手段】
【００１３】
かかる目的を達成するための本発明の要旨とするところは、次の各項の発明に存する。
【００１４】
［１］給水が供給される貯湯タンクと、熱源の排熱を回収して前記貯湯タンク内の水を加熱する加熱装置とを備え、前記貯湯タンク内の蓄熱が設定温度の給湯に不足する場合にその不足分の加熱をガス給湯器で行う貯湯システムにおいて、
前記ガス給湯器の給湯口に接続された給湯管から分岐した排水管と、
前記排水管を開閉する排水制御弁と、
前記熱源による微量のガスの長期継続使用によりガスメータがガスの供給を遮断することの回避動作として、前記排水制御弁を開き、前記ガス給湯器でガスを燃焼させて得た湯を前記排水管から排水する動作を行う制御部と
を有する
ことを特徴とする貯湯システム。
【００１５】
上記発明では、燃料電池等の熱源（ガスエンジン発電機、燃料処理装置（改質器）等）による微量のガスの長期継続使用によりガスメータがガスの供給を遮断することの回避動作として、ガス給湯器でガスを燃焼させて得た湯を排水管から排水する動作を行う。
【００１６】
［２］前記貯湯タンクの出湯口に連通した第２排水管と、前記第２排水管を開閉する第２排水制御弁とを備え、
前記制御部は、前記貯湯タンク内の水の入れ替え動作を行う場合に前記第２排水制御弁を開く
ことを特徴とする［１］に記載の貯湯システム。
【００１７】
上記発明では、貯湯タンク内の水の入れ替え動作を行う場合に、第２排水制御弁を開くことで貯湯タンク内の滞留水を排水し、新たな給水に入れ替える。
【００１８】
［３］前記給湯管と、前記貯湯タンクの出湯口に通じる第１タンク出湯管と、給水管とが接続され、これらからの湯水を設定された混合比で混合して給湯する混合器と、
第１入口と第２入口と出口とを備え、前記第１入口と前記出口とを連通させ前記第２入口を閉鎖した第１状態と、前記第２入口と前記出口とを連通させ前記第１入口を閉鎖した第２状態とに切り替わる三方弁と、
をさらに有し、
前記ガス給湯器は給水管から給水され、
前記排水管は、前記給湯管側の上流排水管と、下流排水管とに分割されており、
前記排水制御弁は前記下流排水管を開閉し、
前記三方弁の第１入口には前記上流排水管が接続され、前記第２入口には前記貯湯タンクの出湯口に通じる第２タンク出湯管が接続され、出口には前記下流排水管が接続され、
前記制御部は、
前記混合器の出側から設定温度の湯が給湯されるように、前記ガス給湯器による加熱および前記混合器の混合比を制御すると共に、
前記回避動作では、前記三方弁を第１状態に設定して前記排水制御弁を開き、前記貯湯タンク内の水の入れ替え動作を行うときは、前記三方弁を前記第２状態に設定して前記排水制御弁を開く
ことを特徴とする［１］に記載の貯湯システム。
【００１９】
上記発明の貯湯システムは、ガス給湯器からの湯と貯湯タンクからの湯と給水管からの給水とを混合器で混合して設定温度の給湯を行う方式（後混合方式）を採用している。また、燃料電池等による微量のガスの長期継続使用によりガスメータがガスの供給を遮断することの回避動作では、三方弁を第１状態に設定して排水制御弁を開くことにより、ガス給湯器でガスを燃焼させて得た湯を排水する動作を行う。また、貯湯タンク内の水の入れ替え動作では、三方弁を第２状態に設定して排水制御弁を開くことで、貯湯タンク内の水を排水して新たな給水に入れ替える。
【００２０】
［４］前記貯湯タンクの出湯口に通じる第１タンク出湯管と、給水管とが接続され、これらからの湯水を設定された混合比で混合すると共に、出側が前記ガス給湯器の給水口へ配管された混合器と、
第１入口と第２入口と出口とを備え、前記第１入口と前記出口とを連通させ前記第２入口を閉鎖した第１状態と、前記第２入口と前記出口とを連通させ前記第１入口を閉鎖した第２状態とに切り替わる三方弁と、
をさらに有し、
前記排水管は、前記給湯管側の上流排水管と、下流排水管とに分割されており、
前記排水制御弁は前記下流排水管を開閉し、
前記三方弁の第１入口には前記上流排水管が接続され、前記第２入口には前記貯湯タンクの出湯口に通じる第２タンク出湯管が接続され、前記出口には前記下流排水管が接続され、
前記制御部は、
前記ガス給湯器による追加の加熱無しにもしくは前記ガス給湯器による加熱を足して前記ガス給湯器から設定温度の給湯が行われるように前記混合器の混合比を制御すると共に、
前記回避動作では、前記三方弁を第１状態に設定して前記排水制御弁を開き、
前記貯湯タンク内の水の入れ替え動作を行うときは、前記三方弁を前記第２状態に設定して前記排水制御弁を開く
ことを特徴とする［１］に記載の貯湯システム。
【００２１】
上記発明の貯湯システムは、貯湯タンクからの湯と給水管からの給水とを混合器で混合した湯水をガス給湯器に送り、ガス給湯器で不足分を加熱して給湯する方式（給水予熱方式）を採用している。また、燃料電池等による微量のガスの長期継続使用によりガスメータがガスの供給を遮断することの回避動作では、三方弁を第１状態に設定して排水制御弁を開くことにより、ガス給湯器でガスを燃焼させて得た湯を排水する動作を行う。また、貯湯タンク内の水の入れ替え動作では、三方弁を第２状態に設定して排水制御弁を開くことで、貯湯タンク内の水を排水して新たな給水に入れ替える。
【００２２】
［５］前記回避動作では、前記ガス給湯器へ給水が供給されるように前記混合器を設定する
ことを特徴とする［４］に記載の貯湯システム。
【００２３】
上記発明では、ガスメータによるガス供給の遮断を回避する動作において、給水をガス給湯器に送り、該ガス給湯器で加熱された湯を排水するので、回避動作のために貯湯タンク内の湯が消費されることが防止される。
【００２４】
［６］前記入れ替え動作中に前記貯湯タンクに流入する給水の水量を計測し、
前記制御部は、前記計測された水量から前記貯湯タンク内全部が新たな給水に入れ替わったことを確認できた後に前記入れ替え動作を終了する
ことを特徴とする［２］乃至［５］のいずれか１項に記載の貯湯システム。
【００２５】
上記発明では、貯湯タンク内の水が新たな給水に完全に入れ替わったことを確認して、入れ替え動作が終了する。なお、貯湯タンクの容量に排水経路の配管容量を加算した水量以上になったときに入れ替え動作を終了させれば、無駄なくかつ完全な入れ替えを行うことができる。
【００２６】
［７］前記上流排水管は、前記ガス給湯器から前記混合器へ至る前記給湯管のうち前記混合器寄りの箇所から分岐しており、
前記制御部は、
給湯の制御モードとして、貯湯タンクからの湯と給水とを混合して設定温度の湯を給湯する第１モードと、給水を前記ガス給湯器で設定温度より高い温度に加熱した湯と給水とを混合して設定温度の湯を給湯する第２モードとを少なくとも有し、
前記第１モードで給湯動作中に前記第２モードに切り替える場合は、前記三方弁を前記第１状態にしかつ前記排水制御弁を開いて前記ガス給湯器で加熱した湯が前記下流排水管から排水されるように設定してから所定時間の経過後に、前記排水制御弁を閉じて前記第２モードの給湯動作に移行する
ことを特徴とする［３］に記載の貯湯システム。
【００２７】
上記発明では、後混合方式の貯湯システムにおいて、給湯の制御モードとして、貯湯タンクからの湯と給水とを混合して設定温度の湯を給湯する第１モードと給水をバックアップ熱源機で設定温度より高い温度に加熱した湯と給水とを混合して設定温度の湯を給湯する第２モードとを有する。そして、第１モードで給湯動作中に第２モードに切り替える場合は、排水制御弁を開き、給水をガス給湯器で加熱した湯が排水管から排出されるように設定する。この状態を所定時間続ける間にガス給湯器から混合器までの配管内にあった冷たい水が排水された後、排水制御弁を閉状態に戻し第２モードの給湯動作に移行するように制御する。
【００２８】
［８］前記所定時間の経過後とは、少なくとも前記ガス給湯器で加熱した湯が前記上流排水管に到達した後である
ことを特徴とする［７］に記載の貯湯システム。
【００２９】
上記発明では、少なくとも、第１モードから第２モードへ切り替える際にガス給湯器から分岐箇所までの間の配管に溜まっていた水がすべて上流排水管に流れ出るまで、排水が継続される。
【００３０】
［９］前記制御部は、
給湯の制御モードとして、貯湯タンクからの湯と給水とを混合して設定温度の湯を給湯する第１モードと、給水を前記ガス給湯器で設定温度より高い温度に加熱した湯と給水とを混合して設定温度の湯を給湯する第２モードと、給水を前記ガス給湯器で加熱した湯と前記貯湯タンクからの湯と給水とを混合して設定温度の湯を給湯する第３モードとを有し、
給湯動作において前記第１モードを優先選択し、前記第１モードで設定温度の湯を給湯できない場合であって設定温度より所定温度以上低くない湯を前記貯湯タンクから供給可能な場合は前記第３モードを選択し、前記第３モードを選択できない場合に前記第２モードを選択する
ことを特徴とする［３］、［７］または［８］に記載の貯湯システム。
【００３１】
上記発明では、貯湯タンクからの湯と給水とを混合して設定温度の湯を給湯する第１モードを優先的に使用することで、排熱で加熱された貯湯タンク内の湯が有効利用される。さらに、貯湯タンク内の湯温が設定温度より低く第１モードでの給湯はできないが、貯湯タンク内に設定温度より所定温度以上低くない温度の湯がある場合は、その湯を利用する第３モードで給湯するので、設定温度に満たない場合でも貯湯タンクの湯を利用した給湯が可能になり、貯湯タンクの湯の利用率を高めることができる。
【発明の効果】
【００３２】
本発明に係る貯湯システムによれば、バックアップ熱源機として暖房機能を有するガス給湯器を使用しなくても、燃料電池による微量のガスの長期継続使用によりガスメータがガスの供給を遮断することを回避することができる。また、貯湯タンク内の水の入れ替え動作を行う場合に、第２排水制御弁を開くことで貯湯タンク内の滞留水を排水し、新たな給水に入れ替えるものでは、貯湯タンク内に長期間滞留した水をガス給湯器の暖房機能で再加熱して殺菌する必要がないので、バックアップ熱源機として暖房機能のないガス給湯器を使用することができる。
【図面の簡単な説明】
【００３３】
【図１】第１の実施の形態に係る風呂給湯システム（給水予熱方式）の概略構成を示す図である。
【図２】風呂給湯器の構成例を示す図である。
【図３】第１の実施の形態に係る風呂給湯システムの排熱回収動作における湯水の流れを示す説明図である。
【図４】第１の実施の形態に係る風呂給湯システムの給湯動作における湯水の流れを示す説明図である。
【図５】第１の実施の形態に係る風呂給湯システムのマイコンメータ遮断回避動作における湯水の流れを示す説明図である。
【図６】第１の実施の形態に係る風呂給湯システムのタンク滞留水排水動作における湯水の流れを示す説明図である。
【図７】第２の実施の形態に係る風呂給湯システム（後混合方式）の概略構成を示す図である。
【図８】第２の実施の形態に係る風呂給湯システムの第１モードの給湯動作における湯水の流れを示す説明図である。
【図９】第２の実施の形態に係る風呂給湯システムの第２モードの給湯動作における湯水の流れを示す説明図である。
【図１０】第２の実施の形態に係る風呂給湯システムの第３モードの給湯動作における湯水の流れを示す説明図である。
【図１１】第２の実施の形態に係る風呂給湯システムにおいて第１モードから第２モードへ切り替える際の湯水の流れを示す説明図である。
【図１２】第２の実施の形態に係る風呂給湯システムにおいて第１モードから第２モードへの切り替え時に風呂給湯器からの湯の混合比を徐々に増やした移行途中の状態の湯水の流れを示す説明図である。
【図１３】第２の実施の形態に係る風呂給湯システムのマイコンメータ遮断回避動作における湯水の流れを示す説明図である。
【図１４】第２の実施の形態に係る風呂給湯システムのタンク滞留水排水動作における湯水の流れを示す説明図である。
【図１５】第２の実施の形態に係る風呂給湯システムの注湯動作における湯水の流れを示す説明図である。
【図１６】暖房機能を備えたガス給湯機をバックアップ熱源機として使用する従来の貯湯システムを示す図である。
【発明を実施するための形態】
【００３４】
以下、図面に基づき本発明の実施の形態を説明する。
【００３５】
本発明の基本概念を説明する。
【００３６】
本発明に係る貯湯システムは、バックアップ熱源機としてのガス給湯器から出る湯を排水する経路を備え、マイコンメータ遮断の回避動作として、給水をガス給湯器で加熱して得た湯を排水する動作を行う。また、貯湯タンク内の水（または湯）が長期間使用されずに滞留した場合に、貯湯タンク内の湯水を排水し給水を補充して新たな水と入れ替える動作を行う。
【００３７】
次に、本発明の第１の実施の形態について説明する。
【００３８】
図１は、本発明の貯湯システムを適用した第１の実施の形態に係る風呂給湯システム１０の構成を示している。第１の実施の形態に係る風呂給湯システム１０は、貯湯タンク１３内の湯温が十分高い場合には貯湯タンク１３からの湯に給水を混合して設定温度の湯を出湯し、設定温度に足りない場合は、貯湯タンク１３の湯を後段の風呂給湯器７０で設定温度に昇温して給湯する方式（給水予熱方式）を採用している。
【００３９】
風呂給湯システム１０は、貯湯タンクユニット１１と、燃料電池からなる熱源機４と、排熱回収装置５０と、バックアップ熱源機としての風呂給湯器７０とを備えて構成される。なお、図中、装置間の配管や外部配管は２重の矢印で示してある。
【００４０】
貯湯タンクユニット１１は、給水管１２から供給される給水を蓄える貯湯タンク１３を備えている。貯湯タンク１３は中空略円柱状のタンクであり、下部には給水口１４が設けてあり、上部には出湯口１５が設けてある。さらに貯湯タンク１３の下部には取水口１６が、上部には戻り口１７が設けてある。
【００４１】
貯湯タンク１３は、たとえば、容量１００リットル程度を有し、底から２０リットルの水位の箇所に、その箇所の水温を検出する第１温度センサ１８ａが、底から４０リットルの水位の箇所に、その箇所の水温を検出する第２温度センサ１８ｂが、底から６０リットルの水位の箇所に、その箇所の水温を検出する第３温度センサ１８ｃが、底から８０リットルの水位の箇所に、その箇所の水温を検出する湯切れ温度センサ１８ｄが、さらに貯湯タンク１３内のほぼ最上部に、その箇所の水温を検出するタンク上部温度センサ１８ｅがそれぞれ設けてある。
【００４２】
排熱回収装置５０は、熱源機４の内部などに設けられて熱源機４の排熱を回収する。排熱回収装置５０は排熱回収熱交換器５１と、排熱回収ポンプ５２とを有する。貯湯タンク１３と排熱回収装置５０の排熱回収熱交換器５１は、これらの間に貯湯タンク１３の水を循環させる排熱回収循環経路が構成されるように熱回収配管５３（５３ａ、５３ｂ）で接続されている。詳細には、貯湯タンク１３の取水口１６には熱回収配管（低温）５３ａの一端が接続され、排熱回収熱交換器５１の入り側に熱回収配管（低温）５３ａの他端が接続されている。排熱回収ポンプ５２は、排熱回収熱交換器５１の入り側近傍の熱回収配管（低温）５３ａに介挿されており、排熱回収ポンプ５２は熱回収配管（低温）５３ａ内の水を貯湯タンク１３の取水口１６側から排熱回収熱交換器５１の入り側に向けて送水する。
【００４３】
排熱回収熱交換器５１の出側には熱回収配管（高温）５３ｂの一端が接続され、熱回収配管（高温）５３ｂの他端は貯湯タンクユニット１１内の第１三方弁２１の第１接続口２１ａに接続されている。
【００４４】
第１三方弁２１は、前述の第１接続口２１ａと、第２接続口２１ｂと第３接続口２１ｃとを備え、第１接続口２１ａと第２接続口２１ｂとを接続し第３接続口２１ｃを閉鎖するＡ方向と、第１接続口２１ａと第３接続口２１ｃとを接続し第２接続口２１ｂを閉鎖するＢ方向とに接続状態を切り替え可能に構成されている。なお、第１三方弁２１は第１接続口２１ａから流入する水の温度が所定温度以上ならばＡ方向となり、所定温度未満ならばＢ方向に切り替わるように制御部２０により制御される。
【００４５】
第１三方弁２１の第２接続口２１ｂは貯湯タンク１３の戻り口１７に配管されている。第１三方弁２１の第３接続口２１ｃにはバイパス管５４の一端が接続され、バイパス管５４の他端は貯湯タンクユニット１１内で熱回収配管（低温）５３ａに合流している。
【００４６】
第１三方弁２１の第１接続口２１ａ近傍の熱回収配管（高温）５３ｂには熱回収配管高温側温度センサ２２ａが設けてあり、貯湯タンク１３の取水口１６からバイパス管５４との合流箇所までの間の熱回収配管（低温）５３ａに熱回収配管低温側温度センサ２２ｂが設けてある。
【００４７】
貯湯タンクユニット１１は、貯湯タンク１３の出湯口１５からの湯と、給水とを混合する混合器２３を備えている。この混合器２３は、実際には、貯湯タンク１３の出湯口１５からの湯の混合量を調整する第１混合器２３ａと、給水管１２からの給水の混合量を調整する第２混合器２３ｂとを有して構成される。
【００４８】
第１混合器２３ａの入り側は貯湯タンク１３の出湯口１５に配管で接続されており、この配管の途中には、過圧逃がし弁２４、吸気弁２５、タンク出口温度センサ２６が設けてある。第２混合器２３ｂの入り側には給水管１２が接続されている。
【００４９】
第１混合器２３ａの出側と第２混合器２３ｂの出側は合流して混合器２３の出口に通じている。混合器２３の出口には、風呂給湯器７０の給水接続口へ通じる接続配管６１が接続されている。混合器２３の出側近傍の接続配管６１には出湯温度センサ３２およびハイカット温度センサ３３が設けてある。
【００５０】
貯湯タンクユニット１１内部の給水管１２には流量センサ３４、給水温度センサ３５、減圧弁３６が設けられている。給水管１２は、これらの下流で２つに分岐し、その一方は逆止弁３７ａを介して第２混合器２３ｂの入り側に接続され、他方は逆止弁３７ｂを介して貯湯タンク１３の給水口１４に接続されている。
【００５１】
さらに貯湯タンク１３の取水口１６には所定の排水箇所に通じる排水管４１が接続されており、排水管４１の途中にはこの管路を開閉する排水栓４２が設けてある。
【００５２】
風呂給湯器７０の給湯接続口には給湯栓などに通じる給湯配管６２が接続されている。また、給湯配管６２の途中で分岐した第２接続配管６３が、貯湯タンクユニット１１内に設けられた第２三方弁４３の第２接続口４３ｂに接続されている。第２三方弁４３は、第１接続口４３ａと、第２接続口４３ｂと第３接続口４３ｃとを備え、第１接続口４３ａと第２接続口４３ｂとを接続し第３接続口４３ｃを閉鎖するＥ方向と、第１接続口４３ａと第３接続口４３ｃとを接続し第２接続口４３ｂを閉鎖するＦ方向とに接続状態を切り替え可能に構成されている。
【００５３】
貯湯タンク１３の出湯口１５に接続された配管は二手に分岐しており、その一方は前述した第１混合器２３ａの入口に接続され、他方は第２三方弁４３の第３接続口４３ｃに接続されている。
【００５４】
また、第２三方弁４３の第１接続口４３ａには、排水案内管４６の一端が接続され、該排水案内管４６の他端は排水管４１の排水栓４２より下流側に合流している。排水案内管４６の途中には、逆止弁４４と、排水案内管４６を開閉する排水電磁弁４５が設けてある。
【００５５】
貯湯タンクユニット１１は、当該貯湯タンクユニット１１の動作を統括制御する制御部２０を備えている。制御部２０はＣＰＵ（Central Processing Unit）と、該ＣＰＵが実行するプログラムや固定データなどが記憶されたフラッシュＲＯＭ（Read Only Memory）と、ＣＰＵがプログラムを実行する際に各種情報を一時記憶するＲＡＭ（Random Access Memory）、各種の信号を入出力するＩ／Ｆ（Interface）部などを主要部とする回路で構成されている。制御部２０には、貯湯タンクユニット１１の各種センサからの検出信号が入力されている。また制御部２０からは各弁やその他の制御対象に対して制御信号が出力される。制御部２０はさらに熱源機４や風呂給湯器７０と各種の情報や指令を授受するようになっている。
【００５６】
次に、バックアップ熱源機としての風呂給湯器７０の構成例を説明する。風呂給湯器７０は給水接続口から流入する水を加熱して出湯する機能、風呂（浴槽）２へ注湯（湯張り）する機能、風呂（浴槽）２内の湯水を追い焚きする機能などを備えたガス燃焼式の風呂給湯器である。
【００５７】
図２に示すように、風呂給湯器７０は、第１熱交換水管７２ａと第２熱交換水管７２ｂとが通る一缶二水路型の熱交換器７２と、この熱交換器７２を加熱するバーナ７３を備える。バーナ７３にはガス供給管７３ａが接続され、このガス供給管７３ａの途中には、ガスの供給／遮断を切り替えるガス弁や供給ガス量を調整する比例弁などが設けてある。
【００５８】
第１熱交換水管７２ａの入り側は入水管７４により給水接続口に接続され、第１熱交換水管７２ａの出側は出湯管７５により給湯接続口に接続されている。また、第２熱交換水管７２ｂの入り側には風呂（浴槽）２へ通じる風呂戻り管７６が、第２熱交換水管７２ｂの出側には同じく風呂（浴槽）２へ通じる風呂往き管７７がそれぞれ接続されている。
【００５９】
出湯管７５と風呂戻り管７６とは、連結管７８によって接続されており、該連結管７８の途中には、連結管７８の閉鎖／開通を切り替える注湯電磁弁７９が設けてある。また、連結管７８の接続箇所より上流側の出湯管７５の途中には、略閉鎖状態から全開状態まで開度を調整可能な水量サーボ８１が出湯水量を調整するために設けてある。水量サーボ８１の下流側には、出湯温度を検出する出湯温度センサ８２が設けてある。
【００６０】
さらに、入水管７４から分岐し、水量サーボ８１より第１熱交換水管７２ａ側の所定箇所で出湯管７５に合流・接続されたバイパス管８３を備え、このバイパス管８３の途中に、略閉鎖から全開まで開度を調整可能なバイパス調整弁８４を備えている。第１熱交換水管７２ａからの湯とバイパス管８３を経由した水とを混合して設定温度の湯になるようにバイパス調整弁８４が調整される。バイパス管８３の分岐箇所より上流側の入水管７４には、入水管７４内の流量を検出する流量センサ８５および入水温度を検知する入水温度センサ８６が設けてある。
【００６１】
風呂戻り管７６の途中には、風呂（浴槽）２内の水を、追い焚き循環経路（風呂戻り管７６、第２熱交換水管７２ｂ、風呂往き管７７）を通じて循環させるための風呂循環ポンプ８７が設けてある。風呂戻り管７６に設けた流水スイッチ８８は、風呂循環ポンプ８７を作動させたとき、追い焚き循環経路に実際に水が循環しているか否かを検出する。
【００６２】
このほか、風呂戻り管７６および風呂往き管７７には、それぞれ管内の温度を検出する風呂往き温度センサ８９ａ、風呂戻り温度センサ８９ｂが設けてある。
【００６３】
制御部９１は、ＣＰＵと、該ＣＰＵが実行するプログラムや固定データなどが記憶されたフラッシュＲＯＭと、ＣＰＵがプログラムを実行する際に各種情報を一時記憶するＲＡＭなどを主要部とする回路で構成されている。制御部９１には、風呂給湯器７０が有する各種センサ、弁、風呂循環ポンプ８７などが接続されている。
【００６４】
さらに、通常は、制御部９１に配線を介してリモコン９２が直接接続されるが、ここでは、風呂給湯器７０を貯湯タンクユニット１１側の制御部２０の制御下で動作させるために、制御部９１を配線を介して制御部２０に接続し、制御部２０に配線を介してリモコン(貯湯タンクユニット１１側と風呂給湯器７０の共通のリモコン)９２が接続されている。リモコン９２は、給湯設定温度や風呂設定温度の指定、湯張り動作や追い焚き動作の開始・終了指示、電源のオン／オフなど各種の操作をユーザから受けるスイッチ類、および動作状態や設定温度などを表示する表示部などで構成される。
【００６５】
風呂給湯器７０の制御部９１は、給湯配管６２へ給湯する給湯動作では、貯湯タンクユニット１１に接続される共通リモコン９２で設定された給湯設定温度の湯が出湯されるようにバーナ７３のＯＮ／ＯＦＦやその燃焼量、バイパス調整弁８４の開度などを制御する。詳細には、貯湯タンクユニット１１側から接続配管６１を通じて供給される湯水の温度が給湯設定温度以上ならば、自装置のバーナ７３を燃焼させることなくそのまま給湯配管６２へ給湯する。貯湯タンクユニット１１側から供給された湯水の温度が給湯設定温度未満ならば、給湯設定温度になるように自装置のバーナ７３を燃焼させ、その燃焼量やバイパス調整弁８４の開度を制御する。
【００６６】
風呂（浴槽）２へ注湯（湯張り）する動作では、注湯電磁弁７９を開けてバーナ７３を燃焼させた状態で水量サーボ８１の開度を調整することにより、給水接続口から流入する湯水が熱交換器７２の第１熱交換水管７２ａを通って加熱され、さらに出湯管７５から連結管７８、風呂戻り管７６および風呂往き管７７の双方（もしくは一方）を通じて風呂（浴槽）２へ流れ込む（この経路を注湯回路とする）。この際、リモコン９２でユーザが設定した風呂設定温度の湯が注湯されるようにバーナ７３の燃焼量やバイパス調整弁８４の開度などを制御する。なお、貯湯タンクユニット１１側から接続配管６１を通じて供給された湯が既に風呂設定温度に達しており風呂給湯器７０で追加の加熱が不要な場合は、バーナ７３を燃焼させずに注湯動作を行う。風呂給湯器７０は風呂（浴槽）２内の水位をチェックし、設定水位に達すると注湯動作は終了する。
【００６７】
追い焚き動作では、注湯電磁弁７９を閉鎖し、風呂循環ポンプ８７を作動させた状態でバーナ７３を燃焼させる。これにより風呂（浴槽）２内の湯水が風呂戻り管７６を通じて風呂給湯器７０に取り込まれ熱交換器７２の第２熱交換水管７２ｂを通る間に加熱され、加熱後の湯水が風呂往き管７７を通じて風呂（浴槽）２へ戻される。
【００６８】
次に、風呂給湯システム１０の各種動作について説明する。
【００６９】
＜排熱回収動作＞
図３は、排熱回収動作における湯水の流れを表している。排熱回収動作における湯水の流れる経路を太線で示してある。熱源機４の排熱を回収して貯湯タンク１３内の湯水を加熱する排熱回収動作では、制御部２０は熱源機４に指示して排熱回収ポンプ５２を作動させる。これにより、貯湯タンク１３内の湯水は、取水口１６から出て、熱回収配管（低温）５３ａ、排熱回収熱交換器５１、熱回収配管（高温）５３ｂ、Ａ方向の第１三方弁２１を経由して戻り口１７から貯湯タンク１３の上部に戻る循環経路で循環する。なお、第１三方弁２１の第１接続口２１ａには、排熱回収熱交換器５１で加熱されて高温になった湯が到達するので制御部２０は第１三方弁２１をＡ方向にする。
【００７０】
給水は貯湯タンク１３の下部の給水口１４から供給され、排熱回収動作で加熱された湯は貯湯タンク１３の上部に戻されるので、貯湯タンク１３内には下部が低温で上部が高温となるような温度勾配が形成される。そして排熱回収動作を続けることで上部に溜まる高温の湯量が次第に増加する。
【００７１】
＜給湯動作＞
給湯は以下の（１）または（２）の制御モードで行われる。
【００７２】
（１）燃焼オフモード
燃焼オフモードは、貯湯タンク１３に十分蓄熱されている場合の給湯動作である。図４は、給湯動作における湯水の流れを表している。図中、湯水の流れる経路を太線で示してある。燃焼オフモードでは、混合器２３で貯湯タンク１３からの湯と給水とを混合して給湯設定温度＋α℃（α℃は接続配管６１での温度低下分を考慮した温度で、たとえば、２℃）の湯を作り、接続配管６１を通じて風呂給湯器７０へ供給する。風呂給湯器７０は、給湯設定温度の湯が供給されたので自装置での追加の加熱は行わず、バーナ７３をオフにし、貯湯タンクユニット１１側から供給された湯をそのまま給湯配管６２へ給湯する。
【００７３】
（２）追い加熱モード
貯湯タンク１３内の蓄熱量が不足して上記燃焼オフモードで給湯設定温度の湯を給湯できない場合の給湯動作であり、風呂給湯器７０で追加の加熱が行われる。追い加熱モードの給湯動作における湯水の流れは図４と同様である。ただし、風呂給湯器７０は燃焼オンになる。
【００７４】
詳細には、貯湯タンク１３内の湯が給湯設定温度よりわずかに低く、そのまま風呂給湯器７０に送ると風呂給湯器７０を最小能力で作動させても給湯温度が給湯設定温度を超えてしまう場合は、混合器２３で貯湯タンク１３からの湯に給水を混合して温度を意図的に下げた湯水を風呂給湯器７０に送り、風呂給湯器７０で給湯設定温度に加熱して給湯する。貯湯タンク１３内の湯の温度が給湯設定温度より十分低く、上記の意図的な温度低下が不要な場合は、貯湯タンク１３内にある給湯設定温度より十分低い温度の湯（または水）を風呂給湯器７０に送り、風呂給湯器７０で給湯設定温度に加熱して給湯する。
【００７５】
＜注湯動作＞
注湯動作においても、給湯動作と同様にして湯水が風呂給湯器７０に供給され、風呂給湯器７０は貯湯タンクユニット１１から供給された湯水の温度が風呂設定温度未満ならば追加の加熱を行い、風呂設定温度以上ならば追加の加熱を行わずに、湯を風呂（浴槽）２へ注湯する。なお、水位の検知や追い焚きなど全自動風呂に用いる機能は、全て風呂給湯器７０の有する機能をそのまま使用する。
【００７６】
＜マイコンメータ遮断回避動作＞
マイコンメータ遮断回避動作では、制御部２０は、第１混合器２３ａを全閉し、第２三方弁４３をＥ方向に設定し、排水電磁弁４５を開く。また、制御部２０は風呂給湯器７０に対して、バーナ７３の燃焼が行われる給湯温度を指示する。たとえば、給水の温度より１５℃高い温度での給湯を指示する。
【００７７】
図５は、マイコンメータ遮断回避動作における湯水の流れを表している。第２三方弁４３をＥ方向に設定して排水電磁弁４５を開くことで、風呂給湯器７０に通水が生じ、この通水を検出した風呂給湯器７０は制御部２０から指示された温度で給湯されるようにバーナ７３を燃焼させる。風呂給湯器７０から出る湯は第２接続配管６３、排水案内管４６、排水管４１を通じて外部へ排水される。
【００７８】
風呂給湯器７０の給湯燃焼運転によりガスを消費するため、ガスメータ側にガス流量が変化したと判断させることができ、マイコンメータ遮断を回避することができる。ガスメータにガス流量変動を判断させるためには、風呂給湯器７０による上記給湯燃焼運転を２分間程度継続すればよい。
【００７９】
マイコンメータ遮断の回避動作は、マイコンメータ遮断がもうすぐ生じることを検知した際に行われる。たとえば、燃料電池の発電運転が一定時間以上継続した場合に行われる。あるいは、燃料電池の発電運転が一定時間以上継続した場合であってその間に制御部２０の制御下にある他の用途（例えば風呂給湯器７０の追焚き用途使用や、風呂給湯器７０の代わりに給湯暖房機が設けられていた場合の暖房用途使用）でガスが使用されていない場合に行われる。なお、ガスコンロやガスストーブ等が使用されてもマイコンメータ遮断回避動作相当となるが、それらは制御部２０の制御下にないため、制御部２０ではそれらガス器具の使用を認識できない。マイコンメータ遮断の回避動作を行うタイミングの判断は、貯湯タンクユニット１１が行ってもよいし、燃料電池が行ってもよい。前者の場合、貯湯タンクユニット１１は発電運転中を示す信号を燃料電池から受け取り、この信号の継続時間や自装置での燃焼有無などからマイコンメータ遮断の回避動作を開始すべきタイミングを判断する。後者の場合には貯湯タンクユニット１１は、燃料電池からマイコンメータ遮断の回避動作の実行要求を受けたときにマイコンメータ遮断回避動作を実行すればよい。
【００８０】
＜タンク滞留水排水動作＞
タンク滞留水排水動作は、貯湯タンク１３に滞留している湯を新たな給水に入れ替える動作である。制御部２０は、貯湯タンク１３内の湯水が長期間使用されずに滞留していると判断した場合に、タンク滞留水排水動作を行う。図６は、タンク滞留水排水動作における湯水の流れを表している。タンク滞留水排水動作では、制御部２０は、第２三方弁４３をＦ方向に設定し、排水電磁弁４５を開くように制御し、貯湯タンク１３内の滞留水を、排水案内管４６や排水管４１を通じた図６の太線で示す経路で排水すると共に、流量センサ３４により排水量を計測する。そして、計測された水量から貯湯タンク１３内全部が新たな給水に入れ替わったことを確認できたとき、入れ替え動作を終了する。ここでは、計測した排水量が貯湯タンク１３の容量と排水経路の配管容量との合計量以上になったら排水電磁弁４５を閉じてタンク滞留水排水動作を終了する。
【００８１】
なお、階下給湯時に第２接続配管６３のラインが負圧になることがあるため、排水電磁弁４５から空気を吸わないように逆止弁４４を設けてある。
【００８２】
以上のように、第１の実施の形態に係る風呂給湯システム１０では、マイコンメータ遮断の回避動作やタンク滞留水排水動作を行うので、バックアップ熱源機として暖房機能のないガス給湯器を使用することができる。暖房機能のないガス給湯器は、暖房機能を有するガス給湯器に比べて価格が安い。また貯湯タンクユニット１１内に再加熱熱交換器が必要なく、さらに風呂給湯器と貯湯タンクユニット１１の間に暖房配管が必要ないなど装置構成が簡略化され、システム全体のコストを低減することができる。
【００８３】
次に、本発明の第２の実施の形態について説明する。
【００８４】
図７は、本発明の貯湯システムを適用した第２の実施の形態に係る風呂給湯システム１０Ｂの構成を示している。第２の実施の形態に係る風呂給湯システム１０Ｂは、風呂給湯器で給水を加熱して得た湯と貯湯タンクからの湯水と給水とを混合器３０で混合して給湯設定温度の湯を作って給湯する方式（後混合方式）を採用している。
【００８５】
貯湯タンクを使用する風呂給湯システムでは、ガス給湯器などから直接給湯する場合に比べて、貯湯タンク内の圧損や接続配管の圧損が加わるので、システム全体の圧損が大きくなる。また、施工条件によっては貯湯タンクユニットとバックアップ熱源機であるガス給湯器とを離して設置しなければならず、貯湯タンクユニットからガス給湯器までの接続配管が長くなるとさらに圧損が増えてしまう。
【００８６】
第１の実施の形態で示した給水予熱方式の風呂給湯システム１０の場合、給湯する全量の湯が必ず接続配管６１および風呂給湯器７０内を経由するので、圧損の影響を受けやすい。第２の実施の形態に示す後混合方式では上記の圧損を低減する。これにより、低水圧地域での給湯量低下が防止される。
【００８７】
図７に示すように、第２の実施の形態に係る風呂給湯システム１０Ｂは、貯湯タンクユニット１１Ｂと、熱源機４と、排熱回収装置５０と、バックアップ熱源機としての風呂給湯器７０とを備えて構成される。本例では、熱源機４は燃料電池である。なお、第１の実施の形態と同一箇所には同一の符号を付してある。また、図中、装置間の配管や外部配管は２重の矢印で示してある。
【００８８】
貯湯タンクユニット１１Ｂは、給水管１２から供給される給水を蓄える貯湯タンク１３を備えている。なお、貯湯タンク１３の構造および内部の温度センサ１８ａ〜１８ｅは第１の実施の形態と同様であり、その説明は省略する。また、排熱回収装置５０、および排熱回収装置５０と貯湯タンク１３との接続は第１の実施の形態と同様であり、それらの説明は省略する。
【００８９】
貯湯タンクユニット１１Ｂは、貯湯タンク１３の出湯口１５からの湯と、風呂給湯器７０からの湯と、給水とを混合する混合器３０を備えている。この混合器３０は、実際には、貯湯タンク１３の出湯口１５からの湯の混合量を調整する第１混合器３０ａと、風呂給湯器７０からの湯の混合量を調整する第２混合器３０ｂと、給水管１２からの給水の混合量を調整する第３混合器３０ｃとを有して構成される。
【００９０】
第１混合器３０ａの入り側は貯湯タンク１３の出湯口１５に配管で接続されており、この配管の途中には、過圧逃がし弁２４、吸気弁２５、タンク出口温度センサ２６が設けてある。第２混合器３０ｂの入り側は風呂給湯器７０の給湯接続口に接続配管（高温）６５で接続されている。接続配管（高温）６５のうち貯湯タンクユニット１１Ｂ内の所定箇所には接続配管（高温）６５内の湯水の温度を検出する接続配管高温側温度センサ２８が設けてある。第３混合器３０ｃの入り側には給水管１２が接続されている。
【００９１】
第１混合器３０ａの出側と第２混合器３０ｂの出側は合流し、給湯高温温度センサ２９の設けられた配管を経た後、第３混合器３０ｃの出側からの配管と合流して混合器３０の出口に通じている。混合器３０の出口には給湯配管３１が接続されている。混合器３０の出側近傍の給湯配管３１には出湯温度センサ３２およびハイカット温度センサ３３が設けてある。
【００９２】
貯湯タンクユニット１１Ｂ内部の給水管１２には流量センサ３４、給水温度センサ３５、減圧弁３６が設けられている。給水管１２は、これらの下流で３つに分岐し、その１つは逆止弁３７ａを介して第３混合器３０ｃの入り側に接続され、他の１つは逆止弁３７ｂを介して貯湯タンク１３の給水口１４に接続され、他の１つは逆止弁３７ｃを介して第３三方弁３８の第２接続口３８ｂに接続されている。
【００９３】
第３三方弁３８は、第１接続口３８ａと第２接続口３８ｂと第３接続口３８ｃとを備え、第１接続口３８ａと第２接続口３８ｂとを接続し第３接続口３８ｃを閉鎖したＣ方向と、第１接続口３８ａと第３接続口３８ｃとを接続し第２接続口３８ｂを閉鎖したＤ方向とに接続状態を切り替え可能になっている。第３接続口３８ｃには、ハイカット温度センサ３３の下流側で給湯配管３１から分岐した配管３１ｂが接続されている。この配管３１ｂの途中には逆止弁３９が設けてある。第３三方弁３８の第１接続口３８ａは風呂給湯器７０の給水接続口に接続配管（低温）６６を通じて接続されている。
【００９４】
さらに貯湯タンク１３の取水口１６には所定の排水箇所に通じる排水管４１が接続されており、排水管４１の途中にはこの管路を開閉する排水栓４２が設けてある。
【００９５】
また、貯湯タンクユニット１１Ｂ内において、接続配管（高温）６５の接続配管高温側温度センサ２８より混合器３０寄りの箇所から分岐した配管が、第２三方弁４３の第２接続口４３ｂに接続されている。なお、この分岐箇所は接続配管（高温）６５の全長の中で混合器３０寄りの箇所となっており、分岐箇所から混合器３０までの配管長は、分岐箇所から風呂給湯器７０の給湯口までの配管長に比べて十分短くなっている。
【００９６】
第２三方弁４３は第１の実施の形態と同様に、第１接続口４３ａと、第２接続口４３ｂと第３接続口４３ｃとを備え、第１接続口４３ａと第２接続口４３ｂとを接続し第３接続口４３ｃを閉鎖するＥ方向と、第１接続口４３ａと第３接続口４３ｃとを接続し第２接続口４３ｂを閉鎖するＦ方向とに接続状態を切り替え可能に構成されている。
【００９７】
貯湯タンク１３の出湯口１５に接続された配管は二手に分岐しており、その一方は前述した第１混合器３０ａの入口に接続され、他方は第２三方弁４３の第３接続口４３ｃに接続されている。
【００９８】
また、第２三方弁４３の第１接続口４３ａは、排水案内管４６の一端が接続され、排水案内管４６の他端は排水管４１の排水栓４２より下流側に合流している。排水案内管４６の途中には、逆止弁４４と、排水案内管４６を開閉する排水電磁弁４５が設けてある。
【００９９】
制御部２０の構成および信号の授受については第１の実施の形態と同様であり、その説明は省略する。
【０１００】
バックアップ熱源機としての風呂給湯器７０は第１の実施の形態と同様の構成を備える。ただし、第２の実施の形態の風呂給湯器７０の制御部９１は、給湯接続口から接続配管（高温）６５へ出湯する動作では、貯湯タンクユニット１１Ｂ側の制御部２０から指示された温度の湯が接続配管（高温）６５へ出湯されるようにバーナ７３の燃焼量やバイパス調整弁８４の開度などを制御する。
【０１０１】
風呂（浴槽）２へ注湯（湯張り）する動作では、リモコン９２でユーザが設定した風呂設定温度の湯が注湯されるようにバーナ７３の燃焼量やバイパス調整弁８４の開度などを制御する。なお、貯湯タンクユニット１１Ｂ側から接続配管（低温）６６を通じて供給された湯が既に風呂設定温度に達しており風呂給湯器７０で追加の加熱が不要な場合は、バーナ７３を燃焼させずに注湯動作を行う。風呂給湯器７０は風呂（浴槽）２内の水位をチェックし、設定水位に達すると注湯動作は終了する。追い焚き動作は第１の実施の形態と同様である。
【０１０２】
次に、風呂給湯システム１０Ｂの各種動作について説明する。
【０１０３】
＜排熱回収動作＞
排熱回収動作は第１の実施の形態と同一でありその説明は省略する。
【０１０４】
＜給湯動作＞
貯湯タンクユニット１１Ｂは風呂給湯器７０の近くに設置される場合もあれば、遠く離れて設置される場合もある。たとえば、２階に風呂があるような家屋では、風呂給湯器７０は２階の外壁に設置され貯湯タンクユニット１１Ｂおよび熱源機４は１階に設置されるといったケースがあり、このような場合には装置間を結ぶ接続配管（高温）６５および接続配管（低温）６６の配管長が長くなって圧損の大きい設置状況になる。本発明の第２の実施の形態に係る風呂給湯システム１０Ｂでは、低水圧地域において、配管が長くて圧損が大きい設置状況になっても、出湯量を十分確保できるように、圧損の増加を抑えた給湯を行うようになっている。
【０１０５】
給湯は以下の３つの制御モードのいずれかで行われる。
【０１０６】
（１）第１モード（タンク出湯モード）
第１モードは、貯湯タンク１３に十分蓄熱されている場合の給湯動作である。図８は、第１モードの給湯動作における湯水の流れを表している。図中、湯水の流れる経路を太線で示してある。第１モードでは、混合器３０で貯湯タンク１３からの湯と給水とを混合して給湯設定温度の湯を作り、給湯する。風呂給湯器７０には給水は送らず、風呂給湯器７０での加熱はなく燃焼運転しない。
【０１０７】
詳細には、混合器３０の第２混合器３０ｂは閉じ、第１混合器３０ａと第３混合器３０ｃの開度を調整して、出湯温度センサ３２によって検出される混合器３０の出側の湯の温度が給湯設定温度になるように制御する。ここでは、たとえば、貯湯タンク１３に設けた湯切れ温度センサ１８ｄの検出温度が、給湯設定温度（実際には、給湯配管などでの温度低下を考慮してたとえば給湯設定温度＋１℃とする）以上の場合は第１モードでの給湯を行う。
【０１０８】
（２）第２モード（給湯器出湯モード）
第２モードは、貯湯タンク１３に利用可能な湯がない場合の給湯動作である。図９は、第２モードの給湯動作における湯水の流れを表している。図中、湯水の流れる経路を太線で示してある。第２モードでは、給水を風呂給湯器７０で給湯設定温度より高い温度に加熱した湯と給水とを混合器３０で混合して給湯設定温度の湯を給湯する。
【０１０９】
詳細には、第３三方弁３８をＣ方向に設定し、風呂給湯器７０に給水を供給する。また、混合器３０の第１混合器３０ａは閉じ、第２混合器３０ｂと第３混合器３０ｃの開度を調整して、出湯温度センサ３２によって検出される混合器３０の出側の湯の温度が給湯設定温度になるように制御する。
【０１１０】
なお、制御部２０は、風呂給湯器７０の出湯温度が給湯設定温度より十分高くなるように風呂給湯器７０に対して出湯温度を指示する。これにより、給水と混ぜて給湯設定温度を得るために必要な風呂給湯器７０からの湯の量が少なくなり、接続配管（低温）６６、風呂給湯器７０および接続配管（高温）６５を経由することにより生じる圧損を小さく抑えることができる。たとえば、給湯設定温度が４０℃ならば風呂給湯器７０から５５℃の湯をもらう。また給湯設定温度が６０℃ならば風呂給湯器７０から７５℃の湯をもらう、というようにする。
【０１１１】
［効果の算定］
給水温度１５℃、給湯設定温度４０℃、給湯流量８L/minのとき、風呂給湯器７０から４０℃の湯をもらう場合は、給湯流量の全量を風呂給湯器７０からもらうので、接続配管（高温）６５および接続配管（低温）６６を湯水が８L/minで流れることになる。これに対し風呂給湯器７０から５５℃の湯をもらう場合は、接続配管（高温）６５、接続配管（低温）６６を流れる流量は５L/minでよく、貯湯タンクユニット１１Ｂ内で給水３L/minと混合して４０℃の湯８L/minが作られる。流速（配管径が同じ場合は流量に比例）が大きいほど圧損は大きくなるので、流量を下げられることは圧損低減に大きく寄与する。
【０１１２】
給水予熱方式の場合は、貯湯タンクに蓄熱がある場合でも、貯湯タンクユニットで４０℃、８L/minの湯を作って、全量をバックアップ熱源機としての給湯器の給水接続口への配管および給湯器に流すことになる。貯湯タンクに蓄熱がない場合も、貯湯ユニットから８L/minの給水を給湯器に送って４０℃まで加熱する。いずれにしても、給湯器への配管および給湯器に８L/min流さなければならない。
【０１１３】
内径１６mmの架橋ポリエチレン配管を使った実験結果では、配管長が２５mの時（配管往復で２５mとすると、風呂給湯器７０と貯湯タンクユニット１１Ｂとを１２．５m離して設置するケースに相当する）、風呂給湯器７０への接続配管の流量が８L/minで配管圧損は１１kPa、５L/minで５kPaという結果であり、５５%の圧損低減を実現している。
【０１１４】
（３）第３モード（後混合出湯モード）
第３モードは、貯湯タンク１３内に蓄熱はあるが、温度が低く、貯湯タンク１３内の湯だけでは不十分な場合の給湯動作である。図１０は、第３モードの給湯動作における湯水の流れを表している。図中、湯水の流れる経路を太線で示してある。第３モードは、たとえば、貯湯タンク１３の湯切れ温度センサ１８ｄの検出温度が給湯設定温度より低いが給湯設定温度より所定温度（たとえば１０℃）以上は低くないような場合に選択される。
【０１１５】
第３モードでは、給水を風呂給湯器７０で加熱した湯と貯湯タンク１３からの湯と給水とを混合して給湯設定温度の湯を作る。詳細には、第３三方弁３８をＣ方向とし、給水を風呂給湯器７０で加熱して作った湯と、給水と、貯湯タンク１３からの湯とを混合器３０で混合して給湯設定温度の湯を作り、給湯する。貯湯タンク１３内の湯の温度が低くても、風呂給湯器７０からもらった高温の湯と混ぜて使うことにより、貯湯タンク１３に貯めた蓄熱をより使い切ることができるため、第１、第２モードのみで制御する場合よりも省エネ性が増す。
【０１１６】
なお、制御部２０は第１モードを優先選択し、第１モードで設定温度の湯を給湯できない場合であって給湯設定温度より所定温度（たとえば、１０℃）以上低くない湯を貯湯タンク１３から供給可能な場合は第３モードを選択し、第３モードを選択できない場合に第２モードを選択する。
【０１１７】
＜第１モードから第２モードへの切り替え動作＞
次に、第１モード（タンク出湯）で給湯を開始した後、貯湯タンク１３内の蓄熱（湯量）が不足して第２モード（給湯器出湯）に給湯の制御モードを切り替える場合の移行動作について説明する。
【０１１８】
なお、湯切れ温度センサ１８ｄの取り付け位置は、接続配管（高温）６５内の保有水量、給湯最大流量などから決定される。すなわち、湯切れ温度センサ１８ｄの取り付け位置より上の部分の貯湯タンク１３の水量が、第１モードから第２モードへ切り替える間に消費される貯湯タンク１３からの湯の最大量以上となるように、湯切れ温度センサ１８ｄの取り付け位置が設定される。
【０１１９】
貯湯タンク１３に蓄熱が十分あると判断して第１モード（タンク出湯）で給湯を開始した後、湯切れ温度センサ１８ｄの検出温度より、もうすぐ蓄熱（設定温度で出湯可能な湯）がなくなると判断した場合、第３三方弁３８をＣ方向にし、排水電磁弁４５を開とし、給水が接続配管（低温）６６から風呂給湯器７０、接続配管（高温）６５、Ｅ方向の第２三方弁４３、排水電磁弁４５の開いた排水案内管４６、排水管４１を通じて外部へ排水されるようにする。図１１は、排水電磁弁４５を開いたときの湯水の流れを表している。図中太線の部分が上記排水経路を示し、太破線は第１モード（タンク出湯）による出湯経路を示している。
【０１２０】
排水案内管４６および排水管４１を通じた排水によって風呂給湯器７０に通水が生じると、これを流量センサ８５で検知した風呂給湯器７０が燃焼加熱を開始する。風呂給湯器７０は貯湯タンクユニット１１Ｂの制御部２０から指示された温度の湯を出湯する。これにより、接続配管（高温）６５の管内は風呂給湯器７０からの湯によって徐々に温まる。接続配管高温側温度センサ２８の検出温度が所定温度に高まるまでは上記の排水状態を継続する。ここでは、接続配管高温側温度センサ２８の検出温度が貯湯タンク１３のタンク上部温度センサ１８ｅの検出温度より高くなったら、排水電磁弁４５を閉じて、第２モード（給湯器出湯）に切り替える。
【０１２１】
詳細には、接続配管高温側温度センサ２８の検出温度が貯湯タンク１３のタンク上部温度センサ１８ｅの検出温度より高くなったら、混合器３０を制御して、給湯設定温度を維持しながら、第１混合器３０ａを次第に閉じつつ第２混合器３０ｂを徐々に開いて、風呂給湯器７０からの湯の混合比が次第に増えるようにする。
【０１２２】
図１２はこのときの湯水の流れを示している。排水案内管４６の分岐箇所よりも第２混合器３０ｂ側の部分の接続配管（高温）６５につめたい水が停留していたならば、第２混合器３０ｂを次第に開くことで、その部分のつめたい水が第２混合器３０ｂに流入するようになるが（図１２の太い一点破線で示す経路）、当初は第２混合器３０ｂを少しだけ開くことで給湯設定温度の給湯が維持される。そして、上記つめたい水を使い切って接続配管（高温）６５内が風呂給湯器７０で熱された高温の湯になるころに、第１混合器３０ａを全閉する状態にする。
【０１２３】
貯湯タンク１３からの湯の混合比がゼロ（第１混合器３０ａが全閉）になったら、すなわち、第２モードへの移行が完了したら、排水電磁弁４５を閉じて排水状態を終了させる。第２モードに移行後の状態は先ほど説明した図９のようになる。なお、第２混合器３０ｂの流量が風呂給湯器７０の燃焼を継続可能な最小流量を超えたときに排水電磁弁４５を閉じて排水状態を終了させてもよい。
【０１２４】
また、接続配管高温側温度センサ２８の検出温度が貯湯タンク１３のタンク上部温度センサ１８ｅの検出温度より高くなるという条件に代えて、風呂給湯器７０によって加熱された湯が接続配管高温側温度センサ２８の箇所に到達したことが確認されたことを条件としてもよい。具体的には、接続配管（高温）６５での温度低下を考慮して、接続配管高温側温度センサ２８の検出温度が、貯湯タンクユニット１１Ｂの制御部２０が風呂給湯器７０に設定した出湯温度−３℃、になったら、混合器３０の混合比を変化させて第２モードへの移行を開始する、といった制御でもよい。
【０１２５】
上記のような移行制御を行うので、第１モード（タンク出湯）から第２モード（給湯器出湯）に切り替える際に、接続配管（高温）６５内の水がもし冷えていても、給湯設定温度通りの湯の給湯を継続することができ、使用者に不快感を与えることがない。
【０１２６】
なお、第２モード（給湯器出湯）の出湯における階下給湯時に接続配管（高温）６５のラインが負圧になることがあるため、排水電磁弁４５から空気を吸わないように逆止弁４４を設けてある。
【０１２７】
＜マイコンメータ遮断回避動作＞
マイコンメータ遮断回避動作では、制御部２０は、第２混合器３０ｂを全閉し、第３三方弁３８をＣ方向に設定し、第２三方弁４３をＥ方向に設定し、排水電磁弁４５を開く。また、制御部２０は風呂給湯器７０に対して、バーナ７３の燃焼が行われる出湯温度を指示する。たとえば、給水の温度より１５℃高い温度での出湯を指示する。
【０１２８】
図１３は、マイコンメータ遮断の回避動作における湯水の流れを表している。第２混合器３０ｂを全閉し、第３三方弁３８をＣ方向に設定し、第２三方弁４３をＥ方向に設定して排水電磁弁４５を開くことで、風呂給湯器７０に通水が生じ、これを検出した風呂給湯器７０は制御部２０から指示された温度で出湯するようにバーナ７３を燃焼させる。風呂給湯器７０から出る湯は接続配管（高温）６５、Ｅ方向の第２三方弁４３、排水案内管４６、排水管４１を通じて外部へ排水される。
【０１２９】
風呂給湯器７０の給湯燃焼運転によりガスを消費するため、ガスメータにガス流量が変化したと判断させることができ、マイコンメータ遮断を回避することができる。ガスメータがガス流量の変動を判断するためには、風呂給湯器７０による上記給湯燃焼運転を２分間程度継続すればよい。
【０１３０】
マイコンメータ遮断の回避動作の開始タイミングに関しては、第１の実施の形態と同様でありその説明は省略する。
【０１３１】
＜タンク滞留水排水動作＞
制御部２０は、貯湯タンク１３内の湯水が長期間使用されずに滞留したと判断した場合に、タンク滞留水排水動作を行う。図１４は、タンク滞留水排水動作における湯水の流れを表している。タンク滞留水排水動作では、制御部２０は、第２三方弁４３をＦ方向に設定し、排水電磁弁４５を開くように制御して、貯湯タンク１３内の滞留水を、排水案内管４６や排水管４１を通じた経路で排水すると共に、流量センサ３４により排水量を計測する。そして、計測された水量から貯湯タンク１３内全部が新たな給水に入れ替わったことを確認できたとき、入れ替え動作を終了する。ここでは、計測した排水量が貯湯タンク１３の容量と排水経路の配管容量との合計量以上になったら排水電磁弁４５を閉じてタンク滞留水排水動作を終了する。
【０１３２】
以上のように、第２の実施の形態に係る風呂給湯システム１０Ｂでは、マイコンメータ遮断の回避動作やタンク滞留水排水動作を行うので、バックアップ熱源機として暖房機能のないガス給湯器を使用することができる。暖房機能のないガス給湯器は、暖房機能を有するガス給湯器に比べて価格が安く、また貯湯タンクユニット１１Ｂ内に再加熱熱交換器が必要なく、さらに風呂給湯器と貯湯タンクユニット１１Ｂの間に暖房配管が必要ないなど装置構成が簡略化され、システム全体のコストを低減することができる。
【０１３３】
＜注湯動作＞
図１５は、第２の実施の形態に係る風呂給湯システム１０Ｂの注湯動作における湯水の流れを表している。図中、湯水の流れる経路を太線で示してある。注湯動作では、混合器３０の出側の湯を風呂給湯器７０の給水接続口へ供給すると共に、貯湯タンク１３からの湯もしくは貯湯タンク１３からの湯と給水とを混合した湯を混合器３０でつくり、混合器３０の出側から出た湯に風呂給湯器７０による加熱を足してもしくは追加の加熱無しに風呂給湯器７０から風呂（浴槽）２へ風呂設定温度の注湯が行われるように制御する。
【０１３４】
具体的には、貯湯タンク１３に蓄熱がある状態で注湯（湯張り）する場合には、第３三方弁３８をＤ方向とし、混合器３０で貯湯タンク１３からの湯と給水とを混合してつくった風呂設定温度の湯を風呂給湯器７０に送り、風呂給湯器７０の注湯回路により湯張りする。貯湯タンクユニット１１Ｂの制御部２０は風呂給湯器７０に対してバーナ７３の燃焼オフのまま注湯電磁弁７９を開くように指示する。貯湯タンクユニット１１Ｂの混合器３０の出側からの湯は、接続配管（低温）６６から風呂給湯器７０の注湯回路、すなわち、風呂給湯器７０内の入水管７４、第１熱交換水管７２ａ、注湯電磁弁７９、連結管７８を経由した後、風呂往き管７７と風呂戻り管７６の双方もしくは一方、を通って風呂（浴槽）２へ流出し注湯される。
【０１３５】
貯湯タンク１３に蓄熱がない場合の注湯は、第２三方弁３８をＤ方向とし、貯湯タンク１３内の風呂設定温度よりも低い温度の湯、または給水、またはそれらを混合した風呂設定温度よりも低い温度の湯を風呂給湯器７０に送り、風呂給湯器７０において風呂設定温度まで加熱し、風呂給湯器７０内の注湯回路を通じて注湯する。
【０１３６】
なお、水位の検知や追い焚きなど全自動風呂に用いる機能は、全て風呂給湯器７０の有する機能をそのまま使用する。
【０１３７】
このように、第３三方弁３８をＤ方向に切り替えて混合器３０の出側からの湯を風呂給湯器７０に供給するので、貯湯タンク内の湯を活用して注湯することができる。
【０１３８】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３９】
本発明の貯湯システムは、風呂給湯システムのうちの貯湯タンクユニット１１（または１１Ｂ）を備えれば、排熱回収装置５０や風呂給湯器７０、熱源機４は含まれても含まれなくてもよく、たとえば、排熱回収装置５０は熱源機４に含まれる構成でもよいし、風呂給湯器７０は既存のものを使用してもよい。
【０１４０】
第２の実施の形態では、給湯の制御モードを第１モード、第２モード、第３モードとした好適例を示したが、少なくとも第１、第２モードがあれば、第３モードのない構成でもかまわない。
【０１４１】
第２モードにおいて、給湯設定温度よりどの程度高温の湯を風呂給湯器７０でつくるかは、適宜に定めればよいが、接続配管６１（高温）、接続配管６２（低温）、風呂給湯器７０を流れる水量を減らして圧損を低減するためには、給水と混合して給湯設定温度の湯が得られる範囲内で十分高い温度にすることが望ましい。なお、バックアップ熱源機がガス燃焼式の風呂給湯器７０のように、加熱動作を行うために所定の最低作動流量以上の通水を要する器具である場合には、第２モードにおいてバックアップ熱源機から得る湯の温度を上げす過ぎると、その湯量がバックアップ熱源機の最低作動流量を下回ってしまう場合がある。そのため、第２モードでは、バックアップ熱源機から供給する湯の量がバックアップ熱源機の最低作動流量を下回らない範囲で、バックアップ熱源機でつくる湯の温度を制御することが望ましい。
【０１４２】
なお、実施の形態の風呂給湯器７０では、入水温度を検出する入水温度センサ８６を備える構成を示したが、入水温度センサ８６を設けずに入水温度を演算で推定するようにしてもよい。すなわち、前回出湯温度安定時に測定された出湯温度Ｔｏ、流量Ｗ、ガス量(加熱量)Ｑと、このときの効率ηとから、入水温度Ｔｉの推定値を、Ｔｉ＝Ｔｏ−（ηＱ／Ｗ）、などの演算で逆算して求めるようにしてもよい。なお、効率ηは、出湯温度と流量とを様々に変化させてそれぞれの条件での値（効率η）を予め測定して記憶しておく。そして、演算時は、この記憶を参照して、その演算に代入する出湯温度および流量に対応する効率ηを取得し、使用すればよい。
【０１４３】
なお、実施の形態では、風呂給湯器７０を一缶二水路型としたが風呂の追い焚きと給湯とを別々の熱交換器で行うタイプの給湯器であってもかまわない。また、排熱回収の対象となる熱源は燃料電池４に限定されず、たとえば、ガスエンジン発電機、燃料処理装置（改質器）等でもよい。
【符号の説明】
【０１４４】
２…風呂（浴槽）
４…熱源機（燃料電池）
１０、１０Ｂ…風呂給湯システム
１１、１１Ｂ…貯湯タンクユニット
１２…給水管
１３…貯湯タンク
１４…給水口
１５…出湯口
１６…取水口
１７…戻り口
１８ａ…第１温度センサ
１８ｂ…第２温度センサ
１８ｃ…第３温度センサ
１８ｄ…湯切れ温度センサ
１８ｅ…タンク上部温度センサ
２０…制御部
２１…第１三方弁
２１ａ…第１接続口
２１ｂ…第２接続口
２１ｃ…第３接続口
２２ａ…熱回収配管高温側温度センサ
２２ｂ…熱回収配管低温側温度センサ
２３…混合器
２３ａ…第１混合器
２３ｂ…第２混合器
２４…過圧逃がし弁
２５…吸気弁
２６…タンク出口温度センサ
２８…接続配管高温側温度センサ
２９…給湯高温温度センサ
３０…混合器
３０ａ…第１混合器
３０ｂ…第２混合器
３０ｃ…第３混合器
３１…給湯配管
３１ｂ…配管
３２…出湯温度センサ
３３…ハイカット温度センサ
３４…流量センサ
３５…給水温度センサ
３６…減圧弁
３７ａ…逆止弁
３７ｂ…逆止弁
３７ｃ…逆止弁
３８…第３三方弁
３８ａ…第１接続口
３８ｂ…第２接続口
３８ｃ…第３接続口
３９…逆止弁
４１…排水管
４２…排水栓
４３…第２三方弁
４３ａ…第１接続口
４３ｂ…第２接続口
４３ｃ…第３接続口
４４…逆止弁
４５…排水電磁弁
４６…排水案内管
５０…排熱回収装置
５１…排熱回収熱交換器
５２…排熱回収ポンプ
５３…熱回収配管
５３ａ…熱回収配管（低温）
５３ｂ…熱回収配管（高温）
５４…バイパス管
６１…接続配管
６２…給湯配管
６３…第２接続配管
６５…接続配管（高温）
６６…接続配管（低温）
７０…風呂給湯器
７２…熱交換器
７２ａ…第１熱交換水管
７２ｂ…第２熱交換水管
７３…バーナ
７３ａ…ガス供給管
７４…入水管
７５…出湯管
７６…風呂戻り管
７７…風呂往き管
７８…連結管
７９…注湯電磁弁
８１…水量サーボ
８２…出湯温度センサ
８３…バイパス管
８４…バイパス調整弁
８５…流量センサ
８６…入水温度センサ
８７…風呂循環ポンプ
８８…流水スイッチ
８９ａ…風呂往き温度センサ
８９ｂ…風呂戻り温度センサ
９１…制御部
９２…リモコン（共通リモコン）
【図１】
0005836794.tif 000002
【図２】
0005836794.tif 000003
【図３】
0005836794.tif 000004
【図４】
0005836794.tif 000005
【図５】
0005836794.tif 000006
【図６】
0005836794.tif 000007
【図７】
0005836794.tif 000008
【図８】
0005836794.tif 000009
【図９】
0005836794.tif 000010
【図１０】
0005836794.tif 000011
【図１１】
0005836794.tif 000012
【図１２】
0005836794.tif 000013
【図１３】
0005836794.tif 000014
【図１４】
0005836794.tif 000015
【図１５】
0005836794.tif 000016
【図１６】
0005836794.tif 000017